(57)【要約】【課題】  バルブ撮影や長時間撮影等の実行中に被写体の画像を表示する機能を備えた撮像装置において、撮影者の意図しない被写体が写し込まれないようにした撮像装置および撮像装置の制御方法を提供する。【解決手段】  設定された周期で被写体像を繰り返し撮像し、画像データを出力する撮像部２９１と、画像データが出力されるたびに、過去の画像データとの加算演算を行い、加算画像データを生成する加算演算部２９４と、加算画像データに基づく加算画像を表示する画像表示部２９６と、撮像部２９１における撮像を一時的に停止、再開するための、一時停止信号、再開信号を出力する設定部２９８と、一時停止信号および再開信号に基づいて、撮像部２９１における撮像を制御する制御部２９７を具備する。【選択図】  図３
2009171004.tif 000002
【特許請求の範囲】
【請求項１】
設定された周期で被写体像を繰り返し撮像し、画像データを出力する撮像部と、
上記画像データが出力されるたびに、過去の画像データとの加算演算を行い、加算画像データを生成する加算演算部と、
上記加算画像データに基づく加算画像を表示する画像表示部と、
上記撮像部における撮像を一時的に停止、再開するための、一時停止信号、再開信号を出力する操作部と、
上記一時停止信号および再開信号に基づいて、上記撮像部における上記撮像を制御する制御部と、
を具備したことを特徴とする撮像装置。
【請求項２】
上記制御部は、上記設定された周期を計時するためのタイマーを有し、
上記制御部は、上記一時停止信号を入力すると、上記タイマーを一時停止させると共に上記撮像部における上記撮像を停止し、上記再開信号を入力すると、上記タイマーの計時動作を再開すると共に上記撮像部における上記撮像を再開することを特徴とする請求項１に記載の撮像装置。
【請求項３】
上記制御部は、上記一時停止信号を入力すると、さらに上記撮像部から上記画像データを読出しこれを一時記憶し、上記再開信号の入力後、上記設定された周期が経過すると、上記撮像部から上記画像データを読出し、この読み出された画像データと上記一時停止信号を入力した際に記憶された画像データ、および上記過去の画像データを用いて、上記加算演算部は上記加算画像データを生成することを特徴とする請求項２に記載の撮像装置。
【請求項４】
上記制御部は、上記設定された周期を計時するためのタイマーを有し、
上記制御部は、上記一時停止信号を入力すると、上記タイマーを停止させると共に上記撮像部における上記撮像を停止し、上記再開信号を入力すると、上記タイマーを改めて設定された周期で計時動作を開始させると共に上記撮像部における上記撮像を再開することを特徴とする請求項１に記載の撮像装置。
【請求項５】
上記制御部は、上記一時停止信号を入力すると、さらに上記撮像部をリセットし、上記再開信号の入力後、上記設定された周期が経過すると、上記撮像部から上記画像データを読出し、上記加算演算部はこの読み出された画像データと上記過去の画像データを用いて上記加算画像データを生成することを特徴とする請求項４に記載の撮像装置。
【請求項６】
上記制御部は、上記一時停止信号を入力すると、一時停止を告知することを特徴とする請求項１に記載の撮像装置。
【請求項７】
上記一時停止の表示を、上記画像表示部に上記加算画像に重畳して告知することを特徴とする請求項６に記載の撮像装置。
【請求項８】
設定された周期で被写体像を繰り返し撮像し、画像データを出力し、
上記画像データが出力されるたびに、過去の画像データとの加算演算を行い、加算画像データを生成し、
上記生成された加算画像データに基づいて加算画像を表示し、
操作部材の操作に応じて上記撮像の一時停止信号および再開信号を制御する、
ことを特徴とする撮像装置の制御方法。
【発明の詳細な説明】
【技術分野】
【０００１】
本発明は、撮像装置および撮像装置の制御方法に関し、詳しくは、バルブ撮影や長秒時撮影等の実行中に被写体の画像を表示することで、露光の進み具合を確認可能な撮像装置および撮像装置の制御方法に関する。
【背景技術】
【０００２】
一般に、星空や花火、夜景等の被写体を撮影する場合には、バルブ撮影を利用することが多い。このバルブ撮影は、撮影対象や周囲の条件に応じて適切な露光秒時、すなわち、シャッタ開からシャッタ閉じまでの時間が異なり、撮影者自身の判断で露光秒時を決めなければならない。そのため、判断を誤ってしまうと、露光不足や露光過多の写真となってしまう。
【０００３】
そこで、バルブ撮影等の際に、リアルタイムで露光レベルを観察することができれば露光秒時の決定にあたって便利である。例えば、特許文献１には、撮像動作中に、所定の時間間隔(例えば、１／１０秒)で撮像素子から画素信号を取り出し、順次加算した画像を液晶モニタに表示する撮像装置が開示されている。この撮像装置によれば、バルブ撮影や長時間撮影を行っている間であっても、ほぼリアルタイムで露光レベルを確認することができ、バルブ撮影であっても大きな失敗を防ぐことができる。
【特許文献１】特開２００５−１１７３９５号公報
【発明の開示】
【発明が解決しようとする課題】
【０００４】
このようなバルブ撮影等においては、長時間の露光となる場合が多く、この間、車のヘッドライトの光が入ったり、カメラの前を人が横切ったりすると、撮影者の意図と異なる撮影となってしまう虞がある。
【０００５】
本発明は、このような事情を鑑みてなされたものであり、バルブ撮影や長時間撮影等の実行中に被写体の画像を表示する機能を備えた撮像装置において、撮影者の意図しない被写体が写し込まれないようにした撮像装置および撮像装置の制御方法を提供することを目的とする。
【課題を解決するための手段】
【０００６】
上記目的を達成するため第１の発明に係わる撮像装置は、設定された周期で被写体像を繰り返し撮像し、画像データを出力する撮像部と、上記画像データが出力されるたびに、過去の画像データとの加算演算を行い、加算画像データを生成する加算演算部と、上記加算画像データに基づく加算画像を表示する画像表示部と、上記撮像部における撮像を一時的に停止、再開するための、一時停止信号、再開信号を出力する操作部と、上記一時停止信号および再開信号に基づいて、上記撮像部における上記撮像を制御する制御部と、を具備する。
【０００７】
第２の発明に係わる撮像装置は、上記第１の発明において、上記制御部は、上記設定された周期を計時するためのタイマーを有し、上記制御部は、上記一時停止信号を入力すると、上記タイマーを一時停止させると共に上記撮像部における上記撮像を停止し、上記再開信号を入力すると、上記タイマーの計時動作を再開すると共に上記撮像部における上記撮像を再開する。
また、第３の発明に係わる撮像装置は、上記第２の発明において、上記制御部は、上記一時停止信号を入力すると、さらに上記撮像部から上記画像データを読出しこれを一時記憶し、上記再開信号の入力後、上記設定された周期が経過すると、上記撮像部から上記画像データを読出し、この読み出された画像データと上記一時停止信号を入力した際に記憶された画像データ、および上記過去の画像データを用いて、上記加算演算部は上記加算画像データを生成する。
【０００８】
さらに、第４の発明に係わる撮像装置は、上記第１の発明において、上記制御部は、上記設定された周期を計時するためのタイマーを有し、上記制御部は、上記一時停止信号を入力すると、上記タイマーを停止させると共に上記撮像部における上記撮像を停止し、上記再開信号を入力すると、上記タイマーを改めて設定された周期で計時動作を開始させると共に上記撮像部における上記撮像を再開する。
さらに、第５の発明に係わる撮像装置は、上記第４の発明において、上記制御部は、上記一時停止信号を入力すると、さらに上記撮像部をリセットし、上記再開信号の入力後、上記設定された周期が経過すると、上記撮像部から上記画像データを読出し、上記加算演算部はこの読み出された画像データと上記過去の画像データを用いて上記加算画像データを生成する。
【０００９】
さらに、第６の発明に係わる撮像装置は、上記第１の発明において、上記制御部は、上記一時停止信号を入力すると、一時停止を告知する。
さらに、第７の発明に係わる撮像装置は、上記第１の発明において、上記一時停止の告知を、上記画像表示部に上記加算画像に重畳して表示する。
【００１０】
上記目的を達成するため第８の発明に係わる撮像装置の制御方法は、設定された周期で被写体像を繰り返し撮像し、画像データを出力し、上記画像データが出力されるたびに、過去の画像データとの加算演算を行い、加算画像データを生成し、上記生成された加算画像データに基づいて加算画像を表示し、操作部材の操作に応じて上記撮像の一時停止信号および再開信号を制御する。
【発明の効果】
【００１１】
本発明によれば、バルブ撮影や長時間撮影等の実行中に被写体の画像を表示する機能を備えた撮像装置において、露光を一時的に停止し、また再開を可能にすることにより、撮影者の意図しない被写体が写し込まれないようにした撮像装置および撮像装置の制御方法を提供することができる。
【発明を実施するための最良の形態】
【００１２】
以下、図面に従って本発明を適用したデジタル一眼レフカメラを用いて好ましい第１実施形態について説明する。図１は、本発明の実施形態に係るデジタル一眼レフカメラについて背面からみた外観斜視図である。
【００１３】
このデジタル一眼レフカメラは、カメラ本体２００と交換レンズ１００とから構成されている。カメラ本体２００の上面にはレリーズ釦２１、撮影モードダイヤル２２、情報設定ダイヤル２４、ストロボ５０等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピント合わせ、被写体輝度の測光等の撮影準備動作を行い、第２レリーズスイッチ（以下、２Rと称する）のオンによりカメラは撮像素子２２１（図２参照）の出力に基づいて被写体像の画像データの取り込みを行う撮影動作を実行する。
【００１４】
撮影モードダイヤル２２は回転可能に構成された操作部材であり、撮影モードダイヤル２２上に設けられた撮影モードを表す絵表示または記号を指標に合致させることにより、プログラム撮影モード（Ｐ）、絞り優先撮影モード（Ａ）、シャッタ優先撮影モード（Ｓ）、マニュアル撮影モード（Ｍ）、バルブモード（Ｂ）等の各撮影モードを選択することができる。
【００１５】
情報設定ダイヤル２４は回転可能に構成された操作部材であり、情報表示画面等において、情報設定ダイヤル２４の回転操作により所望の設定値やモード等を選択することができる。撮影モードダイヤル２２によって、シャッタ優先撮影モードまたはマニュアル撮影モードを選択した場合には、情報設定ダイヤル２４によってシャッタ秒時を設定でき、３０秒以上の長時間秒時も設定可能である。また、バルブ撮影時や長秒時撮影時における露光中の画像表示の更新時間（画像データを繰り返し出力する周期）の設定も行うことができる。ストロボ５０は、ポップアップ式の補助照明装置であり、図示しない操作釦を操作することにより、ストロボ５０がポップアップし被写体に対して照射可能となる。
【００１６】
カメラ本体２００の背面には、液晶モニタ２６、一時停止釦２７、再開釦２８、アップ用十字釦３０Ｕ、ダウン用十字釦３０Ｄ、右用十字釦３０Ｒ、左用十字釦３０Ｌ（これらの各十字釦３０Ｕ、３０Ｄ、３０Ｒ、３０Ｌを総称する際には、十字釦３０と称する）、ＯＫ釦３１、ライブビュー表示釦３３、拡大釦３４、メニュー釦３７、再生釦３８が配置されている。液晶モニタ２６は、ライブビュー表示を行い、また、撮影済みの被写体像を再生表示し、撮影情報やメニューを表示するための表示装置である。また、バルブ撮影時や長秒時撮影時等には、露光動作中に撮像素子２２１によって取得した画像信号に基づいて画像を表示する。これらの表示を行うことができるものであれば、液晶に限らない。
【００１７】
一時停止釦２７は、バルブ撮影時等に撮像素子２２１による撮像動作（電荷蓄積動作）を停止させるための操作部材である。再開釦２８は、一時停止した撮像動作を再開させるための操作部材である。
【００１８】
十字釦３０は液晶モニタ２６上で、Ｘ方向とＹ方向の２次元方向にカーソルの移動を指示するための操作部材であり、また、記録媒体２７７に記録された被写体像を再生表示するにあたって、被写体像の選択指示にも使用する。なお、アップ、ダウン、左、右用の４つの釦を設ける以外にも、タッチスイッチのように２次元上で操作方向を検出できるスイッチ等、２次元方向に操作できる操作部材に置き換えることも可能である。ＯＫ釦３１は、十字釦３０やコントロールダイヤル２４等によって選択された各種項目を確定するための操作部材である。
【００１９】
ライブビュー表示釦３３は、情報表示等の表示画面からライブビュー表示に切り換え、またはライブビュー表示から情報表示等の表示画面に切り換えるための操作釦である。なお、ライブビュー表示は、被写体像記録用の撮像素子２２１の出力に基づいて液晶モニタ２６に被写体像を観察用に表示するモードであり、情報表示はデジタル一眼レフカメラの撮影情報を表示設定するために液晶モニタ２６に表示されるモードである。拡大釦３４は、液晶モニタ２６に被写体像の一部分を拡大表示するための操作部材であり、前述の十字釦３０を操作することによって拡大位置を変更することができる。
【００２０】
メニュー釦３７は、このデジタル一眼レフカメラの各種モードを設定するためのメニューモードに切り換えるための操作部材であり、このメニュー釦３７の操作によってメニューモードを選択すると、液晶モニタ２６にメニュー画面が表示される。メニュー画面は複数の階層構造となっており、十字釦３０で各種項目を選択し、ＯＫ釦３１の操作により選択を決定する。再生釦３８は、撮影後に記録した被写体画像を液晶モニタ２６に表示させることを指示するための操作釦である。後述するＳＤＲＡＭ（Synchronous Dynamic Random Access Memory）２６７、記録媒体２７７にＪＰＥＧ等の圧縮モードで記憶されている被写体の画像データを伸張して表示する。
【００２１】
カメラ本体２００の側面には、記録媒体収納蓋４０が開閉自在に取り付けられている。この記録媒体収納蓋４０を開放すると、この内部に記録媒体２７７用の装填スロットが設けられており、記録媒体２７７はカメラ本体２００に対して、着脱自在に装填可能となっている。
【００２２】
次に、図２を用いて、デジタル一眼レフカメラの電気系を主とする全体構成を説明する。本実施形態では、交換レンズ１００とカメラ本体２００は別体で構成され、通信接点３００にて電気的に接続されているが、交換レンズ１００とカメラ本体２００を一体に構成することも可能である。なお、内蔵式のストロボ５０の回路ブロックは図２において、省略してある。
【００２３】
交換レンズ１００の内部には、焦点調節および焦点距離調節用の撮影光学系１０１と、開口量を調節するための絞り１０３が配置されている。撮影光学系１０１はレンズ駆動機構１０７によって駆動され、絞り１０３は絞り駆動機構１０９によって駆動されるよう接続されている。
【００２４】
レンズ駆動機構１０７および絞り駆動機構１０９は、それぞれレンズＣＰＵ１１１に接続されており、このレンズＣＰＵ１１１は通信接点３００を介してカメラ本体２００の通信回路２７３に接続されている。レンズＣＰＵ１１１は交換レンズ１００内の制御を行うものであり、レンズ駆動機構１０７を制御してピント合わせや、ズーム駆動を行うと共に、絞り駆動機構１０９を制御して絞り値制御を行う。また、レンズＣＰＵ１１１は、交換レンズ１００の開放絞り値や焦点距離情報等のレンズ固有情報や、光学系位置検出機構(不図示)によって検出された焦点距離や焦点位置情報を、カメラ本体２００に送信する。
【００２５】
カメラ本体２００内には、被写体像を観察光学系に反射するためにレンズ光軸に対して４５度傾いた位置（下降位置、被写体像観察位置）と、被写体像を撮像素子２２１に導くために跳ね上がった位置（上昇位置、退避位置）との間で、回動可能な可動ミラー２０１が設けられている。この可動ミラー２０１の上方には、被写体像を結像するためのフォーカシングスクリーン２０５が配置され、このフォーカシングスクリーン２０５の上方には、被写体像を左右反転させるためのペンタプリズム２０７が配置されている。
【００２６】
このペンタプリズム２０７の出射側(図２で右側)には被写体像観察用の接眼レンズ（不図示）が配置され、この脇であって被写体像の観察に邪魔にならない位置に測光センサ２１１が配置されている。この測光センサ２１１は、測光処理回路２４１に接続され、測光センサ２１１の出力は、この測光処理回路２４１によって増幅処理やアナログ−デジタル変換等の処理がなされる。
【００２７】
上述の可動ミラー２０１の中央付近はハーフミラーで構成されており、この可動ミラー２０１の背面には、ハーフミラー部で透過した被写体光をカメラ本体２００の下部に反射するためのサブミラー２０３が設けられている。このサブミラー２０３は、可動ミラー２０１に対して回動可能であり、可動ミラー２０１が跳ね上がっているときには（図２において破線位置）、ハーフミラー部を覆う位置に回動し、可動ミラー２０１が被写体像観察位置（下降位置）にあるときには、図示する如く可動ミラー２０１に対して開いた位置にある。
【００２８】
この可動ミラー２０１は可動ミラー駆動機構２３９によって駆動されている。また、サブミラー２０３の下方には焦点検出センサ２４３が配置されており、この焦点検出センサ２４３の出力は焦点検出処理回路２４５に接続されている。焦点検出センサ２４３は、撮影光学系１０１によって結像される被写体像の焦点ズレ量（デフォーカス量）を測定するために、撮影光学系１０１の周辺光束を２光束に分離する公知の位相差ＡＦ光学系と１対のセンサとから構成されている。
【００２９】
可動ミラー２０１の後方には、露光時間制御用のフォーカルプレーンタイプのシャッタ２１３が配置されており、このシャッタ２１３はシャッタ駆動機構２３７によって駆動制御される。シャッタ２１３の後方には撮像素子２２１が配置されており、撮影光学系１０１によって結像される被写体像を電気信号に光電変換する。なお、撮像素子２１１としては、ＣＣＤ（Charge Coupled Devices）またはＣＭＯＳ（Complementary
Metal Oxide Semiconductor）等の二次元撮像素子を使用できることは言うまでもない。
【００３０】
前述のシャッタ２１３と撮像素子２２１の間には、被写体光束から赤外光成分と、高周波成分を除去するための光学フィルタである赤外カットフィルタ・ローパスフィルタ２１７が配置されている。また、撮像素子２２１の近傍には、温度測定回路２３１が配置されている。この温度測定回路２３１は、ダイオードの順方向電流の温度依存性等を利用して、撮像素子２２１の近傍の環境温度を測定し、この環境温度に応じた温度信号を出力する。
【００３１】
撮像素子２２１は撮像素子駆動回路２２３に接続され、この撮像素子駆動回路２２３によって、撮像素子２２１から画像信号の読出し等が行われる。撮像素子駆動回路２２３は、画像信号のアナログデジタル変換を行うＡＤＣ（Analogue Digital Converter）回路２２５に接続されている。ＡＤＣ回路２２５の出力は、暗電流除去回路２２７に接続されている。暗電流除去回路２２７は、撮像素子２２１で発生する暗電流を除去するための回路であり、撮像素子２２１の周辺部の遮光領域で発生した暗電流を用いて、被写体像を表す画像データを補正する。
【００３２】
暗電流除去回路２２７は、ＡＳＩＣ（Application Specific
Integrated Circuit 特定用途向け集積回路）２５０内のデータバス２５２に接続されている。このデータバス２５２には、シーケンスコントローラ(以下、「ボディＣＰＵ」と称す)２５１、画像処理回路２５７、圧縮伸張回路２５９、ビデオ信号出力回路２６１、ＳＤＲＡＭ制御回路２６５、入出力回路２７１、通信回路２７３、記録媒体制御回路２７５、フラッシュメモリ制御回路２７９、スイッチ検知回路２８３が接続されている。
【００３３】
データバス２５２に接続されているボディＣＰＵ２５１は、このデジタル一眼レフカメラの動作を制御するものである。データバス２５２に接続された画像処理回路２５７は、デジタル画像データのデジタル的増幅（デジタルゲイン調整処理）、色補正、ガンマ（γ）補正、コントラスト補正、ライブビュー表示用画像生成等の各種の画像処理を行なう。また圧縮伸張回路２５９はＳＤＲＡＭ２６７に記憶された画像データをＪＰＥＧやＴＩＦＦ等の圧縮方式で圧縮し、また、圧縮画像データを伸張するための回路である。なお、画像圧縮はＪＰＥＧやＴＩＦＦに限らず、他の圧縮方式も適用できる。
【００３４】
ビデオ信号出力回路２６１は液晶モニタ駆動回路２６３を介して液晶モニタ２６に接続される。ビデオ信号出力回路２６１は、ＳＤＲＡＭ２６７、記録媒体２７７に記憶された画像データを、液晶モニタ２６に表示するためのビデオ信号に変換するための回路である。液晶モニタ２６は、図１に示すように、カメラ本体２００の背面に配置されるが、撮影者が観察できる位置であれば、背面に限らないし、また液晶に限らず他の表示装置でも構わない。
【００３５】
ＳＤＲＡＭ２６７は、ＳＤＲＡＭ制御回路２６５を介してデータバス２５２に接続されており、このＳＤＲＡＭ２６７は、画像処理回路２５７によって画像処理された画像データまたは圧縮伸張回路２５９によって圧縮された画像データを一時的に記憶するためのバッファメモリである。
【００３６】
上述の撮像素子駆動回路２２３、温度測定回路２３１、シャッタ駆動機構２３７、可動ミラー駆動機構２３９、測光処理回路２４１、焦点検出処理回路２４５に接続される入出力回路２７１は、データバス２５２を介してボディＣＰＵ２５１等の各回路とデータの入出力を制御する。
【００３７】
レンズＣＰＵ１１１と通信接点３００を介して接続された通信回路２７３は、データバス２５２に接続され、ボディＣＰＵ２５１等とのデータのやりとりや制御命令の通信を行う。データバス２５２に接続された記録媒体制御回路２７５は、記録媒体２７７に接続され、この記録媒体２７７への画像データ等の記録及び画像データ等の読み出しの制御を行う。
【００３８】
記録媒体２７７は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。
【００３９】
フラッシュメモリ制御回路２７９は、フラッシュメモリ（Flash Memory）２８１に接続され、このフラッシュメモリ２８１は、デジタル一眼レフカメラの動作を制御するためのプログラムが記憶されており、ボディＣＰＵ２５１はこのフラッシュメモリ２８１に記憶されたプログラムに従ってデジタル一眼レフカメラの制御を行う。なお、フラッシュメモリ２８１は、電気的に書換え可能な不揮発性メモリである。
【００４０】
レリーズ釦２１の第1ストローク（半押し）を検出する１Ｒスイッチや、第２ストローク（全押し）を検出する２Ｒスイッチ、パワースイッチ、メニュー釦３７に連動するメニュースイッチ、撮影モードダイヤル２２に連動するダイヤルスイッチ、情報設定ダイヤル２４に連動するダイヤルスイッチ、一時停止釦２７に連動する一時停止スイッチ、再開釦２８に連動する再開スイッチ、その他の操作部材に連動する各種スイッチを含む各種スイッチ２８５は、スイッチ検知回路２８３を介してデータバス２５２に接続されている。
【００４１】
次に、バルブ撮影等における露光中の画像表示に関連する構成について、図３を用いて説明する。制御部２９７は、デジタル一眼レフカメラ全体を制御するボディＣＰＵ２５１によって構成される。設定部２９８は、バルブ撮影時等における際に、露光の進み具合（露光レベル）を確認するための表示の更新時間の設定を行い、具体的には情報設定ダイヤル２４等によって手動で、もしくは撮影情報等に基づいて自動で設定する。また、設定部２９８は、一時停止釦２７および再開釦２８等を含み、バルブ撮影時等において、撮像動作の一時停止や再開動作を行う。
【００４２】
撮像部２９１は、前述の撮像素子２２１、撮像素子駆動回路２２３、ＡＤＣ回路２２５、暗電流除去回路２２７等を含み、画像信号に基づく画像データを出力する。撮像部２９１の出力は加算演算部２９４に接続されている。前述の制御部２９７は、設定部２９８から一時停止信号および再開信号を入力し、撮像部２９１における撮像動作を制御する。
【００４３】
加算演算部２９４は、バルブ撮影もしくは長秒時撮影中に所定時間毎に取得した画像を加算演算し、加算画像データを生成する。一時記憶部２９３は、ＳＤＲＡＭ２６７等の一時記憶装置によって構成され、加算演算部２９４において演算された加算画像データを一時的に記憶し、制御部２９７からの制御命令に従って既に記憶済みの加算画像データを加算演算部２９４に供給し、新たな加算画像データを改めて記憶する。加算演算部２９４は、ボディＣＰＵ２５１および画像処理回路２５７等によって構成され、制御部２９７からの制御命令に従って一時記憶部２９３に既に記憶されている加算画像データと最新の画像データとの加算演算を行う。
【００４４】
加算画像記録部２９５は、前述した記録媒体２７７のような記録媒体によって構成され、加算演算部２９４において加算演算された最終的な加算画像データを、制御部２９７の制御命令に従って一時記憶部２９３から読み出して記憶する。画像表示部２９６は、液晶モニタ２６、液晶モニタ駆動回路２６３等によって構成され、加算演算部２９４で加算演算された加算画像データが一時記憶部２９３に更新記憶されるたびに、制御部２９７の制御命令に従って一時記憶部２９３から読み出して表示する。
【００４５】
このように構成されているので、バルブ撮影等を行う場合には、まず、撮影者が更新時間を設定部２９８の操作により設定する。制御部２９７は、設定された更新時間毎に、撮像部２９１によって取得された画像データが順次加算演算部２９４によって加算され、この加算画像が画像表示部２９６に表示されるように制御する。この加算画像は、図１３に示すように、次第に画像データが累積加算されていくので、最初は図１３（ａ）のように暗い画像であるが、次第に明るい画像に変化し、何度も繰り返し画像が累積加算されると、図１３（ｈ）のように、露光オーバー気味の画像となる。
【００４６】
また、バルブ撮影等を行っている最中に、撮像動作を一時停止する場合には、設定部２９８を操作し一時停止を制御部２９７に指示する。この指示を受けると、制御部２９７は撮像部２９１における撮像動作を停止させ、画像表示部２９６に表示されている加算画像に重畳して一時停止表示３０６を表示させる。一時停止すると、撮像が更新されないので、直前の加算画像が表示されたままとなる。一時停止後に、設定部２９８を操作し再開を指示すると、制御部２９７は撮像部２９１における撮像動作を再開させ、一時停止表示３０６を消去する。以後、更新時間経過ごとに加算画像が更新される。
【００４７】
次に、本発明の第１実施形態におけるデジタル一眼レフカメラの動作の詳細について図４乃至図８に示すフローチャートを用いて説明する。図４は、カメラ本体２００側のボディＣＰＵ２５１によるパワーオンリセットの動作である。カメラ本体２００に電池が装填されると、このフローがスタートし、カメラ本体２００のパワースイッチがオンであるか否かを判定する（＃１）。
【００４８】
判定の結果、パワースイッチがオフの場合には、低消費電力の状態であるスリープ状態となる（＃３）。このスリープ状態ではパワースイッチがオンとなった場合のみに割り込み処理を行い、ステップ＃５以下においてパワースイッチオンのための処理を行う。パワースイッチがオンとなるまでは、パワースイッチ割り込み処理以外の動作を停止し、電源電池の消耗を防止する。ステップ＃１において、パワースイッチがオンであった場合、またはステップ＃３におけるスリープ状態を脱した場合には、電源供給を開始する（＃５）。
【００４９】
次に、撮影モードダイヤル２２によって設定された撮影モードや、情報設定ダイヤル２４によって設定されたＩＳＯ感度、マニュアル設定されたシャッタ速度や絞り値等の情報があればそれらの撮影条件、およびレンズ情報の読み込みを行う（＃７）。レンズ情報の読み込みは、レンズＣＰＵ１１１から通信回路２７３を介して交換レンズ１００の開放絞り値や焦点距離情報等のレンズ固有情報の読み込みを行う。このステップで、バルブモードが設定され、またはシャッタ速度として長秒時が設定されている場合には、これらの情報が読み込まれる。
【００５０】
続いて、バルブモードが設定されたか否かの判定を行う（＃９）。ステップ＃７において撮影モードを読み込んでいることから、読み込まれた撮影モードとしてバルブモードが設定されたか否かの判定を行う。判定の結果、バルブモードが設定されていなかった場合には、測光・露光量演算を行なう（＃１１）。このステップでは、測光センサ２１１によって被写体輝度を測光し、露光量を演算し、この露光量を用いて撮影モード・撮影条件に従ってシャッタ速度や絞り値等の露光制御値の演算を行う。
【００５１】
ステップ＃９における判定の結果、バルブモードが設定されていた場合には、更新時間の入力を行う（＃３１）。この更新時間の入力については、図５を用いて後述する。更新時間の入力が終わると、ステップ＃１３にジャンプする。バルブモードの場合には、測光に係わりなくユーザー操作によってシャッタ２１３の開閉が行われることから、ステップ＃１１の測光・露光量演算は実行されない。
【００５２】
次に、撮影情報を液晶モニタ２６に表示する（＃１３）。撮影情報としては、ステップ＃７において読み込んだ撮影モード・撮影条件等と、ステップ＃１１において演算したシャッタ速度や絞り値の露出制御値等である。撮影モードとして、バルブモードが設定された場合には、図１１に示すように、バルブモード表示３０１や更新時間表示３０２が、他の撮影情報と共に、液晶モニタ２６上に表示される。
【００５３】
撮影情報の表示を行うと、次に、再生釦３８に連動する再生スイッチがオンか否かの判定を行う（＃１７）。再生モードは、再生釦３８が操作された際に、記録媒体２７７に記録された画像データを読み出して液晶モニタ２６に表示するモードである。判定の結果、再生スイッチがオンの場合には、再生動作を実行する（＃３３）。
【００５４】
ステップ＃１７における判定の結果、再生スイッチがオンではなかった場合には、メニュー釦３７に連動するメニュースイッチがオンか否かの判定を行なう（＃１９）。このステップでは、メニュー釦３７が操作され、メニューモードが設定されたか否かを判定する。判定の結果、メニュースイッチがオンであった場合には、液晶モニタ２６にメニュー表示し、メニュー設定動作を行う（＃３５）。メニュー設定動作によって、ＡＦモード、ホワイトバランス、ＩＳＯ感度設定、ドライブモードの設定等、各種の設定動作を行うことができる。
【００５５】
ステップ＃１９における判定の結果、メニュースイッチがオンでなかった場合には、レリーズ釦２１が半押しされたか、すなわち、１Ｒスイッチがオンか否かの判定を行う（＃２１）。判定の結果、１Ｒスイッチがオンであった場合には、撮影準備と撮影を行う撮影動作のサブルーチンを実行する（＃３７）。このサブルーチンの詳細は図６を用いて後述する。
【００５６】
ステップ＃２１における判定の結果、１Ｒスイッチがオンでなかった場合には、ステップ＃１と同様に、パワースイッチがオンか否かの判定を行なう（＃２３）。判定の結果、パワースイッチがオンであった場合には、ステップ＃７に戻り、前述の動作を繰り返す。一方、パワースイッチがオンではなかった場合には、電源供給を停止し（＃２５）、ステップ＃３に戻り、前述のスリープ状態となる。
【００５７】
次に、ステップ＃３１の更新時間の入力動作について、図５を用いて説明する。このサブルーチンに入ると、まず、温度測定回路２３１によって測定された撮像素子２２１の近傍の環境温度を検出する（＃４１）。環境温度が求まると、この環境温度に基づいて更新時間上限値の決定を行う（＃４３）。
【００５８】
撮像素子２２１には、図９で概念的に示すように、二次元方向にフォトダイオード(画素)が配列されている。図９では、一つ一つの升目が画素を表す。撮像素子２２１の画素の大半は有効画素領域３１１であり、その右側は水平遮光画素領域３１２に、また下側は垂直遮光画素領域３１３となっている。有効画素領域３１１に属する画素から出力される画素信号に基づいて画像データが生成され、水平遮光画素領域３１２と垂直遮光画素領域３１３に属する画素から出力される画素信号に基づいて暗電流データが生成される。
【００５９】
この暗電流は、図１０に示すように、温度依存性を有しており、撮像素子２２１の近傍の温度が高い場合ほど、その暗電流（積分値）も時間と共に急速に大きくなる。撮像素子２２１から出力される被写体画像を光電変換した画素信号には、暗電流が重畳しており、露光時間（積分時間）が長くなると、暗電流が無視できなくなる。そこで、水平遮光画素領域３１２および垂直遮光画素領域３１３から出力される暗電流が、有効画素領域３１１においても発生していると仮定し、暗電流除去回路２２７において、画素信号に基づく画像データから暗電流データを差し引くことによって暗電流の補正を行っている。
【００６０】
暗電流は、温度が高い場合ほど、早く飽和レベルに達してしまう。暗電流が飽和レベルに達してしまうと、暗電流除去を正確に行うことができない。このため、本実施形態においては、バルブモード等、長時間に亘って露光動作を行う場合には、暗電流が飽和レベルに達する前に、撮像素子２２１から画素信号を読み出すようにしている。すなわち、暗電流特性を考慮して、温度測定回路２３１によって測定された環境温度に基づいて、暗電流が飽和しないように、更新時間の上限値を制限している(＃４３)。具体的には、環境温度と上限時間のテーブルを記憶しておき、このテーブル参照によって決定する。
【００６１】
次に、更新時間を入力するために、情報設定ダイヤル２４が操作されたか否かの判定を行う（＃４５）。判定の結果、情報設定ダイヤル２４が操作されていなかった場合には、元のルーチンに戻る。一方、情報設定ダイヤル２４が操作されていた場合には、スイッチ検知回路２８３はその回転方向を検出する（＃４７）。
【００６２】
続いて、検出された回転方向が更新時間を減少させる方向か否かの判定を行う（＃４９）。判定の結果、更新時間を減少させる回転方向の場合には、前回の更新時間が下限値に達しているか否かの判定を行う（＃５１）。下限値は、適宜設定すればよいが、例えば０．１秒程度であればよい。判定の結果、下限値に達していなかった場合には、現在の設定状態から順に所定のステップで更新時間を短くする（＃５３）。更新時間は、図１１に示したように、液晶モニタ２６上の撮影情報中に更新表示３０２として表示されるが、情報設定ダイヤル２４によって更新時間を短くする方向に回転操作させるたびに、例えば、現在の設定状態が初期値の３０秒であれば、図１２（ｃ）から（ａ）の下限値の方向に向け、所定のステップで、徐々に減少する。このステップは使い勝手を考慮して適宜決定すれば良い。更新時間短縮が終わると、元のルーチンに戻る。
【００６３】
ステップ＃４９における判定の結果、減少方向でなかった場合には、前回の更新時間がステップ＃４３において決定した上限値に達しているか否かの判定を行う（＃５５）。判定の結果、上限値に達していなかった場合には、所定のステップで更新時間を延ばす（＃５７）。情報設定ダイヤル２４によって更新時間を長くする方向に回転操作させるたびに、現在の状態から図１２（ｅ）の上限値の方向に向け、所定のステップで徐々に増加する。図１２（ａ）〜（ｅ）の更新時間間隔は一例であり、適宜変更できる。
【００６４】
このように、本実施形態においては、更新時間について、上限値や下限値を超えないように設定値を制限している。このため、撮像素子２２１の性能を超えた使用を防止することができる。さらに、本実施形態においては、更新時間の上限について暗電流特性に応じて変更するようにしている。このため、暗電流に応じた画像データの補正を行うことができ、ノイズの少ない画像とすることができる。
【００６５】
次に、ステップ＃３７における撮影動作について、図６を用いて説明する。このサブルーチンは、１Ｒスイッチがオンになるとスタートし、まず、液晶モニタ２６に表示されている撮影情報をオフする（＃６１）。続いて、位相差ＡＦ制御のサブルーチンを実行する（＃６３）。このサブルーチンでは、公知の位相差ＡＦにより撮影光学系１０１の焦点ズレ方向および焦点ズレ量を検出し、この焦点ズレ方向・焦点ズレ量に基づいて光学系駆動機構１０７の駆動制御を行い、撮影光学系１０１のピント合わせを行う。
【００６６】
位相差ＡＦが終わると、ステップ＃９と同様に、バルブモードが設定されているか否かを判定する（＃６５）。判定の結果、バルブモードが設定されていなかった場合には、測光・露光量演算を行い、シャッタ速度や絞り値等の露出制御値を求める（＃６７）。一方、判定の結果バルブモードが設定されていた場合には、ステップ＃６７をスキップし、ステップ＃６９に進む。バルブモードの場合には、前述したように、シャッタ２１３の開閉時間は撮影者によって決められ、測光および露光量演算は不要のためである。
【００６７】
続いて、シャッタ釦２１が全押しされたか、すなわち、２Ｒスイッチがオンか否かを判定する（＃６９）。判定の結果、２Ｒスイッチがオンとはなっていなかった場合には、１Ｒスイッチがオンか否かを判定する（＃８７）。判定の結果、１Ｒスイッチがオンではなかった場合には、撮影動作を終了して、元のルーチンに戻る。一方、判定の結果、１Ｒスイッチがオンの場合には、ステップ＃６９に戻り、１Ｒスイッチと２Ｒスイッチの状態を検出する待機状態となる。
【００６８】
ステップ＃６９における判定の結果、２Ｒスイッチがオンとなると、撮影を行なうためのステップに移る。まず、可動ミラー２０１の退避動作（上昇位置へ移動）を行う（＃７１）。これによって、撮影光学系１０１による被写体光束が撮像素子２２１の方向に導かれる。続いて、レンズＣＰＵ１１１に絞込み動作を指示し、絞り１０３の絞り込み動作を実行させる（＃７３）。
【００６９】
これで、通常の撮影動作もしくはバルブ撮影動作に入る準備ができたので、露光動作を開始する（＃７５）。露光は、シャッタ２１３の先幕の走行を開始させると共に、撮像素子２２１の電荷蓄積を開始する。ステップ＃６７で求められたシャッタ速度もしくは撮影者によって手動設定されたシャッタ速度に対応する時間が経過すると、もしくは撮影者によってバルブ撮影の終了が指示されると、シャッタ２１３の後幕の走行を開始させると共に、撮像素子２２１の電荷蓄積を終了する。
【００７０】
ここで、バルブモードが設定されていた場合には、レリーズ釦２１が全押しされている間、シャッタ２１３を開放状態とし、この間、撮像素子２２１によって更新時間間隔で繰り返し画像データを取得し、この画像データに基づく画像を液晶モニタ２６に更新しながら表示する。この露光動作の詳細は図７および図８を用いて後述する。
【００７１】
露光動作が終了すると、絞り１０３の開放指示をレンズＣＰＵ１１１に出力し、絞り１０３を開放する（＃７７）。続いて、可動ミラー２０１を下降位置へと復帰動作を行い（＃７９）、撮像素子２２１から読み出されて一時的にＳＤＲＡＭ２６７に記憶されている通常の画像もしくは加算画像データの画像処理を行う（＃８１）。画像処理された画像データを記録媒体２７７に記録し（＃８３）、液晶モニタ２６に表示していた画像の表示を停止する（＃８５）。画像表示を停止させると、元のルーチンに戻る。
【００７２】
次に、ステップ＃７５における露光動作について、図７および図８を用いて説明する。このサブルーチンに入ると、まず、ステップ＃９と同様に、バルブモードが設定されているか否かを判定する（＃１０１）。判定の結果、バルブモードが設定されていなかった場合には、プログラム撮影モード等の通常の撮影モードを実行する。
【００７３】
通常の撮影モードとして、まず、露光時間計時用のタイマーをスタートさせ（＃１０３）、シャッタ２１３の開放と共に撮像素子２２１に撮像を開始させる（＃１０５）。すなわち、撮像素子２２１上に結像している被写体像の光電変換を行い、信号電荷の蓄積を開始させる。ステップ＃６７で演算された、もしくは手動設定されたシャッタ速度に対応する露光時間(設定秒時)が経過したか否かを判定する（＃１０７）。判定の結果、露光時間が経過すると、シャッタ２１３を閉じると共に撮像素子２２１における撮像を停止する（＃１０９）。
【００７４】
続いて、撮像素子２２１から画像信号の読み出しを行い（＃１１１）、この読み出された画像信号をＳＤＲＡＭ２６７に一時蓄積する（＃１１３）。この一時蓄積された画像信号に基づいて、液晶モニタ２６に撮影画像の表示を行う（＃１１５）。
【００７５】
ステップ＃１０１における判定の結果、バルブモードが設定されていた場合には、はじめに、ステップ＃３１において入力された更新時間をタイマーに設定する（＃１１９）。続いて、一時記憶部２９３内に用意された加算画像記憶領域（不図示）のデータをクリアし（＃１２０）、更新時間計時用のタイマーをスタートさせ（＃１２１）、一時停止中フラグを“０”にリセットする（＃１２２）。この一時停止フラグは、撮像動作を一時停止した場合に、一時停止中であることを示すフラグであり、“１”は一時停止中を示す。
【００７６】
一時停止中フラグをリセットすると、次に、ステップ＃１０５と同様に、シャッタ２１３を開放すると共に撮像を開始する（＃１２３）。続いて、更新時間計時用のタイマーが、ステップ＃１１９において設定された更新時間を経過した否かの判定を行う（＃１２５）。
【００７７】
判定の結果、更新時間が経過していなかった場合には、一時停止中か否かの判定を行う（図８＃１７１）。この判定は、一時停止中フラグが“１”か否かにより行う。判定の結果、一時停止中でなかった場合、すなわち、一時停止中フラグが“０”であった場合には、一時停止釦２７に連動する一時停止スイッチが操作されたか否かを判定する（＃１７３）。判定の結果、一時停止スイッチが操作されていなかった場合には、ステップ＃１５１に進む。一方、一時停止スイッチが操作されていた場合には、シャッタ２１３は開のまま撮像素子２２１の撮像を停止し、画像信号の読み出しを行う（＃１７５、＃１７７）。
【００７８】
次に、読み出された画像信号のデジタル化された画像データを一時記憶部２９３の一時記憶領域に一時的に蓄積する（＃１７９）。この蓄積は、撮像動作の再開後に蓄積された画像データと共に、過去に蓄積された加算画像データに加算演算を行うため一時的に保持するものである。続いて、図１３（ｅ）に示すように一時停止中表示３０６を加算画像に重畳して液晶モニタ２６に表示する（＃１８１）。この後、一時停止中フラグを“１”にセットし（＃１８３）、更新時間計時用のタイマーの計時動作を停止する（＃１８５）。タイマーを停止すると、ステップ＃１５１に進む。
【００７９】
ステップ＃１７１における判定の結果、一時停止中であった場合には、再開釦２８に連動する再開スイッチが操作されたか否かを判定する（＃１８７）。判定の結果、再開スイッチが操作されていなかった場合には、ステップ＃１５１に進む。一方、再開スイッチが操作されていた場合には、ステップ＃１８５において一時停止したタイマーの計時動作を再開すべく一時停止を解除する（＃１８９）。
【００８０】
次に、ステップ＃１７５において停止した撮像動作を開始すべく、シャッタ２１３を開のまま撮像素子２２１の撮像を開始する（＃１９１）。続いて、撮像の再開に合わせて、ステップ＃１８１において表示した一時停止中表示３０６を消去し（＃１９２）、一時停止中フラグを“０”にリセットし（＃１９３）、ステップ＃１５１に進む。
【００８１】
ステップ＃１５１に進むと、レリーズ釦２１の全押しが解除されたか、すなわち、２Ｒスイッチがオフとなったか否かを判定する（＃１５１）。２Ｒスイッチがオンで更新時間が経過していない場合には、ステップ＃１２５、図８に示すフロー、およびステップ＃１５１を繰り返し実行する。
【００８２】
ステップ＃１２５における判定の結果、更新時間が経過した場合には、シャッタ２１３は開のままで撮像素子２２１の撮像を停止し、画像信号の読み出しを行う（＃１２７、＃１２９）。この読み出された画像信号のデジタル化された画像データを一時記憶部２９３の記憶領域内の最新画像保持領域に一時的に蓄積する（＃１３１）。この蓄積は、読み出された画像データを後で実行される加算演算のために一時的に保持するものである。
【００８３】
次に、更新時間計時用のタイマーを再スタートさせ（＃１３３）、撮像素子２２１に撮像を開始させる（＃１３５）。続いて、一時記憶部２９３の加算画像記憶領域に記憶されている過去の加算画像データと上述の最新画像とについて、加算演算部２９４によって加算演算を行い（＃１３７）、再び一時記憶部２９３の加算画像記憶領域に記憶する（＃１３８）。この加算演算にあたって、ステップ＃１７７、＃１７９において、撮像素子２２１から画像信号を読み出し一時記憶部２９３の一時記憶領域に画像データが一時記憶されている場合には、この画像データも合わせて加算演算される。続いて、一時記憶部２９３に記憶された加算画像を液晶モニタ２６に表示し（＃１３９）、ステップ＃１２５に戻り、前述のステップを実行する。
【００８４】
表示された画像を見た撮影者が、露光レベルが意図するレベルとなったと判断して、レリーズ釦２１の全押しを解除すると、すなわち、２Ｒスイッチをオフとすると、ステップ＃１５１における判定によって、ステップ＃１５１からステップ＃１５３に進み、露光動作を終了するための処理に移る。すなわち、シャッタ２１３を閉じると共に撮像を停止し（＃１５３）、ステップ＃１２９、＃１３１と同様に、画像データの読み出し、画像データの一時蓄積を行う(＃１５５、＃１５７)。そして、ステップ＃１３７〜＃１３９と同様に、加算演算によって加算画像を得、この加算画像を蓄積した後に表示を行う(＃１５９、＃１６０、＃１６１)。加算画像を表示すると、元のルーチンに戻る。
【００８５】
このように、ステップ＃１１９で設定された更新時間が経過するたびに（＃１２５→Ｙ）、撮像素子２２１での撮像が停止され、画像信号が読み出され、一時記憶領域に記憶された過去の加算画像データと加算演算され、図１３に示すように、液晶モニタ２６に表示される。最初に更新時間が経過した時点では、露光時間が短いため、全体に暗い画像であるが、更新時間が経過するたびに、画像データが加算されることから、次第に明るい画像となる。撮影者は、液晶モニタ２６を観察することによって、撮影者の意図する明るさとなったかどうかを判断することができる。
【００８６】
また、バルブ撮影時に一時停止釦２７が操作されると、撮像動作を停止し、また、再開釦２８が操作されると撮像動作を再開する。このため、撮影者の意図に従って、任意にバルブ撮影の撮像タイミングを一時停止・再開することができる。さらに、撮像動作が一時停止されると更新時間計時用のタイマーも一時停止させ、撮像動作が再開されると更新時間計時用のタイマーも計時動作を再開する。この間、撮像された画像信号を用いて画像データを生成しているので、撮像素子２２１における画像信号が無駄になることがない。
【００８７】
次に、本発明の第２実施形態について、図１４を用いて説明する。第１実施形態においては、バルブ撮影中に一時停止すると、そのときの画像データを一時蓄積し（＃１７９）、この画像データも用いて加算演算を行っていた（＃１３７）。第２実施形態においては、バルブ撮影中に一時停止すると、蓄積した画像信号をリセットし、バルブ撮影が再開された場合には、改めて撮像を開始するようにしている。
【００８８】
第２実施形態の構成は、図１乃至図３に示した第１実施形態の構成と同様であり、図４乃至図７に示したフローチャートも同様であり、図８に示すフローチャートを図１４に示すフローチャートに変更するだけである。また、図１４のフローチャートにおいて、図８のフローチャートと同一の動作については、同一のステップ符号を付してあるので、ここでは相違点を中心に説明する。
【００８９】
バルブ撮影中に一時停止釦２７が操作されたことを検出すると（＃１７３→Ｙ）、シャッタ２１３が開のままで撮像を停止し（＃１７５）、撮像素子２２１の撮像部をリセットする（＃１８０）。なお、ステップ＃１７７において画像信号の読み出しを行っているが、このステップを省略しても良い。この後、第１実施形態と同様に、一時停止中表示３０６を液晶モニタ２６に表示し（＃１８１）、一時停止中フラグに“１”をセットする（＃１８３）。
【００９０】
次に、更新時間計時用のタイマーをリセットする（＃１８６）。第１実施形態においては、一時停止釦２７が操作されるまでに蓄積した画素信号に基づく画像データを用いて加算演算していた。第２実施形態においては、再開釦２８が操作されると、改めて撮像を開始しており、このステップにおいてタイマーをリセットしている。
【００９１】
ステップ＃１８７における判定の結果、再開釦２８に連動する再開スイッチが操作された場合には、更新時間計時用のタイマーの計時動作を再スタートする（＃１９０）。そして、シャッタ２１３を開にしたままで撮像素子２２１の撮像を開始し（＃１９１）、一時停止中フラグを“０”にリセットし、ステップ＃１５１に戻る。
【００９２】
ステップ＃１２５（図７）において、更新時間が経過したことが判定されると、ステップ＃１２７からステップ＃１３５を実行した後、ステップ＃１３７において、加算演算を行う。第１実施形態においては、ステップ＃１７７において読み出され、ステップ＃１７９において一時蓄積された画像データも加算演算の対象としたが、第２実施形態においては、ステップ＃１７７において読み出された画像信号は用いず、ステップ＃１９１において再開された撮像において得られた画像データと、過去の加算画像データについて、加算演算部２９４によって加算演算を行い、再び一時記憶部２９３の加算画像記憶領域に記憶する。
【００９３】
このように、第２実施形態においても、バルブ撮影時に一時停止釦２７が操作されると、撮像動作を停止し、また、再開釦２８が操作されると撮像動作を再開する。このため、撮影者の意図に従って、任意にバルブ撮影の撮像タイミングを変更することができる。また、撮像動作が一時停止されると更新時間計時用のタイマーをリセットし、撮像動作が再開されると更新時間計時用のタイマーを再スタートし、一時停止前に取得した画像はリセットしている。このため、一時停止の前に不要な画像が入った場合、この画像は自動的に削除される。
【００９４】
以上説明したように、本発明の各実施形態においては、バルブ撮影時等において、撮像を一時的に停止・再開するための一時停止信号・再開信号を出力する操作部（一時停止釦２７、再開釦２８）を有し、一時停止信号および再開信号を入力し、撮像素子２２１における撮像を制御するようにしている。このため、バルブ撮影時等において、露光を一時的に停止・再開が可能であり、撮影者の意図と異なる画像が撮影されることを防止することができる。例えば、車のヘッドライトの光が入ったり、カメラの前を人が横切ったりする場合であっても、第１実施形態においては事前に一時停止釦２７を操作することにより、また第２実施形態においては事後に一時停止釦２７を操作することにより、これらの不要な画像が写し込まれないようにすることができる。
【００９５】
なお、本発明の各実施形態においては、バルブモードが設定されると、レリーズ釦２１が全押しされ、この全押しが解除されるまで、すなわち、２Ｒスイッチがオンの間だけ、シャッタが開放され、撮像動作を行っていた。しかし、このやり方以外にも、例えば、レリーズ釦２１が全押し（第１のレリーズ操作）された際に撮像動作を開始し、レリーズ釦２１の全押しが解除されても撮像動作を続け、再びレリーズ釦２１が全押し（第１のレリーズ操作の後に行われる第２のレリーズ操作）された際に撮像動作を停止するようにしてもよい。
【００９６】
また、本発明の各実施形態において、バルブ撮影時での撮像動作の一時停止と再開について説明したが、これに限らず、長秒時撮影の場合にも適用することができる。長秒時撮影の場合には、ステップ＃１５１において、２Ｒスイッチを判定するのではなく、設定された長秒時が経過したか否かを判定すれば良い。
【００９７】
さらに、本発明の各実施形態においては、一時停止する際に、液晶モニタ２６に一時停止表示３０６によって告知していたが、これに限らず、バルブ撮影等の撮影中であることを表示するＬＥＤ等の表示素子を設け、一時停止中はこの表示素子を消灯させる等、別の表示素子でも良く、また、発音素子によって告知するようにしても良い。さらに、本発明の各実施形態において、一時停止する際、停止している間中、一時停止表示３０６を表示状態としていたが、一時停止の開始から所定時間のみ告知するようにしても良い。
【００９８】
さらに、本発明の各実施形態において、露光動作を終了する場合に、ステップ＃１５５(図７、図１４)において、画像を読み出し、この画像を加算した加算画像を表示している（＃１６１）。しかし、ステップ＃１５５において画像読み出しをすることなく、ステップ＃１３７において得られた最終の加算画像を表示するようにしても勿論かまわない。
【００９９】
さらに、本発明の一実施形態において、撮像するたびに毎回加算画像を上書きしていたが、複数の一時記憶領域を用意しておき、加算画像を上書きすることなく、複数の一時記憶領域に順次記憶するようにしても良い。さらに、加算画像の更新時間は、情報設定ダイヤル２４によって撮影者が手動で入力するようにしていたが（図４の＃３１）、これに限らず、例えば、測光値に基づいて、更新時間を自動設定するようにしても勿論構わない。
【０１００】
さらに、本発明の各実施形態においては、デジタルカメラとして一眼レフタイプに適用した例を説明したが、本発明は一眼レフタイプ以外のコンパクトタイプ等のデジタルカメラでもよく、また、携帯電話や携帯情報端末（ＰＤＡ：Personal
Digital Assist）等に内蔵されるカメラでも勿論構わない。バルブモードや長秒時撮影が可能な撮像装置であれば、本発明を適用することができる。
【０１０１】
以上、本発明の各実施形態を用いて説明したが、本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【０１０２】
【図１】本発明の第１実施形態に係わるデジタル一眼レフカメラを背面から見た外観斜視図である。
【図２】本発明の第１実施形態に係わるデジタル一眼レフカメラの電気系の全体構成を示すブロック図である。
【図３】本発明の第１実施形態に係わるデジタル一眼レフカメラにおいて、バルブモード等の撮像および表示に関連する構成を抽出して示したブロック図である。
【図４】本発明の第１実施形態におけるパワーオンリセットの動作を示すフローチャートである。
【図５】本発明の第１実施形態における更新時間入力の動作を示すフローチャートである。
【図６】本発明の第１実施形態における撮影動作を示すフローチャートである。
【図７】本発明の第１実施形態における露光動作を示すフローチャートである。
【図８】本発明の第１実施形態における露光動作を示すフローチャートである。
【図９】本発明の第１実施形態に係わるデジタル一眼レフカメラの撮像素子の各領域を示す図である。
【図１０】本発明の第１実施形態に係わるデジタル一眼レフカメラの撮像素子において、暗電流に関して温度と積分レベルの関係を示すグラフである。
【図１１】本発明の第１実施形態に係わるデジタル一眼レフカメラの撮影情報表示を示す図である。
【図１２】本発明の第１実施形態に係わるデジタル一眼レフカメラの更新表示を示す図であり、（ａ）から（ｅ）はそれぞれ異なる更新時間の表示を示す。
【図１３】本発明の第１実施形態におけるバルブモード撮影時の表示を示す図であり、（ａ）から（ｄ）、（ｆ）から（ｇ）は更新時間の経過に伴って変化する表示を示し、（ｅ）はバルブ撮影の一時停止中における表示を示す。
【図１４】本発明の第２実施形態における露光動作を示すフローチャートである。
【符号の説明】
【０１０３】
２１・・・レリーズ釦、２２・・・撮影モードダイヤル、２４・・・情報設定ダイヤル、２６・・・液晶モニタ、２７・・・一時停止釦、２８・・・再開釦、３０・・・十字釦、３０Ｕ・・・アップ用十字釦、３０Ｄ・・・ダウン用十字釦、３０Ｒ・・・右用十字釦、３０Ｌ・・・左用十字釦、３１・・・ＯＫ釦、３３・・・ライブビュー表示釦、３４・・・拡大釦、３７・・・メニュー釦、３８・・・再生釦、４０・・・メディア装填蓋、５０・・・ストロボ、１００・・・交換レンズ、１０１・・・撮影光学系、１０３・・・絞り、１０７・・・光学系駆動機構、１０９・・・絞り駆動機構、１１１・・・レンズＣＰＵ、２００・・・カメラ本体、２０１・・・可動ミラー、２０３・・・サブミラー、２０５・・・フォーカシングスクリーン、２０７・・・ペンタプリズム、２１１・・・測光センサ、２１３・・・フォーカルプレーンシャッタ、２１７・・・赤外カットフィルタ・ローパスフィルタ、２２１・・・撮像素子、２２３・・・撮像素子駆動回路、２２５・・・ＡＤＣ回路、２２７・・・暗電流除去回路、２３１・・・温度測定回路、２３７・・・シャッタ駆動機構、２３９・・・可動ミラー駆動機構、２４１・・・測光処理回路、２４３・・・焦点検出センサ、２４５・・・焦点検出処理回路、２５０・・・ＡＳＩＣ、２５１・・・シーケンスコントローラ（ボディＣＰＵ）、２５２・・・データバス、２５７・・・画像処理回路、２５９・・・圧縮伸張回路、２６１・・・ビデオ信号出力回路、２６３・・・液晶モニタ駆動回路、２６５・・・ＳＤＲＡＭ検知回路、２６７・・・ＳＤＲＡＭ、２７１・・・入出力回路、２７３・・・通信回路、２７５・・・記録媒体制御回路、２７７・・・記録媒体、２７９・・・フラッシュメモリ制御回路、２８１・・・フラッシュメモリ、２８３・・・スイッチ検知回路、２８５・・・各種スイッチ、２９１・・・撮像部、２９３・・・一時記憶部、２９４・・・加算演算部、２９５・・・加算画像記録部、２９６・・・画像表示部、２９７・・・制御部、２９８・・・設定部、３００・・・通信接点、３０１・・・バルブモード表示、３０２・・・更新時間表示、３０６・・・一時停止中表示、３１１・・・有効画素領域、３１２・・・水平遮光画素領域、３１３・・・垂直遮光画素領域
【図１】
2009171004.tif 000003
【図２】
2009171004.tif 000004
【図３】
2009171004.tif 000005
【図４】
2009171004.tif 000006
【図５】
2009171004.tif 000007
【図６】
2009171004.tif 000008
【図７】
2009171004.tif 000009
【図８】
2009171004.tif 000010
【図９】
2009171004.tif 000011
【図１０】
2009171004.tif 000012
【図１１】
2009171004.tif 000013
【図１２】
2009171004.tif 000014
【図１３】
2009171004.tif 000015
【図１４】
2009171004.tif 000016